(57)【要約】【課題】ストロボの発光量を微小量に抑える必要がある撮影において、ストロボの調光性能を最大限に生かして適正露出の画像が撮影できる発光装置、撮像装置及びこれらの制御方法、撮像システム、並びにプログラムを提供する。【解決手段】ストロボ３００は、カメラ１００と通信可能に接続し、自動調整モードにおいてカメラ１００がストロボ３００の発光量の下限値として設定できる自動調光発光下限値３１２をカメラ１００に送信する。【選択図】図１
2020003568.tif 000002
【特許請求の範囲】
【請求項１】
撮像装置と通信可能に接続する発光装置であって、
自動調光を行う際に前記撮像装置により設定された発光量で前記撮像装置における撮影時に発光する第１の発光モードにおいて前記撮像装置が前記発光装置の発光量の下限値として設定できる第１の発光量下限値を前記撮像装置に送信する送信手段を備えることを特徴とする発光装置。
【請求項２】
前記送信手段は、ユーザにより設定された発光量で前記撮像装置における撮影時に発光する第２の発光モードにおいて前記ユーザが前記発光装置の発光量の下限値として設定できる第２の発光量下限値を前記撮像装置に更に送信することを特徴とする請求項１記載の発光装置。
【請求項３】
前記第１の発光量下限値は、前記第２の発光量下限値より低いことを特徴とする請求項２記載の発光装置。
【請求項４】
撮像素子を有し、発光装置と通信可能に接続する撮像装置であって、
自動調光を行う際に設定した第１の発光量で前記撮像装置における撮影時に前記発光装置を発光させる第１の発光モードにおいて前記撮像装置が前記発光装置の発光量の下限値として設定できる第１の発光量下限値を決定する決定手段を備えることを特徴とする撮像装置。
【請求項５】
前記第１の発光モードにおいて、前記発光装置が未発光の状態で前記撮像素子の感度を第１の感度に設定し、前記第１の感度で前記自動調光を行って前記撮影時の発光量を算出する第１の算出手段と、
前記第１の発光モードにおいて、発光量制限モードに設定されているか否かを判定する判定手段と、
前記発光量制限モードに設定されていると判定され、且つ前記第１の算出手段により算出された発光量が前記第１の発光量下限値より低い場合、前記第１の発光量を前記第１の発光量下限値に設定し、前記第１の算出手段により算出された発光量と前記第１の発光量下限値の差分だけ、前記第１の発光モードでの撮影時の前記撮像素子の感度を前記第１の感度から下げた感度に設定する第１の設定手段とを更に備えることを特徴とする請求項４記載の撮像装置。
【請求項６】
自動調光を行う際に設定した第２の発光量で前記撮像装置における連続撮影時に前記発光装置を発光させる第２の発光モードにおいて、前記撮像素子の感度を前記第１の感度より所定量大きく設定された第２の感度で前記自動調光を行って前記連続撮影時の発光量を算出する第２の算出手段と、
前記第２の発光モードにおいて、前記発光量制限モードに移行する移行手段と、
前記発光量制限モードへの移行後、前記第２の算出手段により算出された発光量が前記第１の発光量下限値より低い場合、前記第２の発光量を前記第１の発光量下限値に設定し、前記第２の算出手段により算出された発光量と前記第１の発光量下限値の差分だけ、前記第２の発光モードでの連続撮影時の前記撮像素子の感度を前記第２の感度から下げた感度に設定する第２の設定手段とを更に備えることを特徴とする請求項５記載の撮像装置。
【請求項７】
ユーザにより設定された発光量で前記撮像装置における撮影時に前記発光装置を発光させる第３の発光モードにおいて前記ユーザが前記発光装置の発光量の下限値として設定できる第２の発光量下限値を取得する取得手段を更に備えることを特徴とする請求項４乃至６のいずれか１項に記載の撮像装置。
【請求項８】
前記第１の発光量下限値は、前記第２の発光量下限値より低いことを特徴とする請求項７記載の撮像装置。
【請求項９】
前記発光装置からその機種情報を取得する取得手段と、
前記取得した機種情報から、前記発光装置が前記第１の発光量下限値の通信に対応している第１の種類か、前記通信に対応していない第２の種類であるかを特定する特定手段とを更に備え、
前記決定手段は、前記発光装置が前記第１の種類と特定された場合は、前記発光装置に対して前記第１の発光量下限値を要求し、前記発光装置が前記第２の種類と特定された場合は、予め設定された所定値を前記第１の発光量下限値とすることを特徴とする請求項４乃至８のいずれか１項に記載の撮像装置。
【請求項１０】
前記発光装置が前記第２の種類と特定された場合、前記取得した機種情報に対応した下限値情報を有しているか否かを判定する手段を更に備え、
前記下限値情報を有している場合は、前記予め設定された所定値として前記下限値情報に基づく値を設定し、前記下限値情報を有していない場合は、前記予め設定された所定値として前記発光装置の機種情報に依存しない一律の値を設定することを特徴とする請求項９記載の撮像装置。
【請求項１１】
撮像装置及び発光装置を通信可能に接続する撮像システムであって、
前記撮像装置は、
自動調光を行う際に設定した第１の発光量で前記撮像装置における撮影時に前記発光装置を発光させる第１の発光モードにおいて前記撮像装置が前記発光装置の発光量の下限値として設定できる第１の発光量下限値を決定する決定手段と、
前記発光装置からその機種情報を取得する取得手段と、
前記取得した機種情報から、前記発光装置が前記第１の発光量下限値の通信に対応している第１の種類か、前記通信に対応していない第２の種類であるかを特定する特定手段とを備え、
前記決定手段は、前記発光装置が前記第１の種類と特定された場合は、前記発光装置に対して李前記第１の発光量下限値を要求し、前記発光装置が前記第２の種類と特定された場合は、予め設定された所定値を前記第１の発光量下限値とし、
前記発光装置は、
前記要求が前記撮像装置で行われたときに、前記第１の発光量下限値を前記撮像装置に送信する送信手段を備えることを特徴とする撮像システム。
【請求項１２】
撮像装置と通信可能に接続する発光装置の制御方法であって、
自動調光を行う際に前記撮像装置により設定された発光量で前記撮像装置における撮影時に発光する第１の発光モードにおいて前記撮像装置が前記発光装置の発光量の下限値として設定できる第１の発光量下限値を前記撮像装置に送信する送信ステップを有することを特徴とする制御方法。
【請求項１３】
撮像素子を有し、発光装置と通信可能に接続する撮像装置の制御方法であって、
自動調光を行う際に設定した発光量で前記撮像装置における撮影時に前記発光装置を発光させる第１の発光モードにおいて前記撮像装置が前記発光装置の発光量の下限値として設定できる第１の発光量下限値を決定する決定ステップを有することを特徴とする制御方法。
【請求項１４】
請求項１２又は１３に記載の制御方法を実行することを特徴とするプログラム。
【発明の詳細な説明】
【技術分野】
【０００１】
本発明は、発光装置、撮像装置及びこれらの制御方法、撮像システム、並びにプログラムに関し、特にストロボの発光量を微小量に抑える必要がある撮影に用いられる発光装置、撮像装置及びこれらの制御方法、撮像システム、並びにプログラムに関する。
【背景技術】
【０００２】
従来、近距離撮影など、発光装置（ストロボ）の発光量を微小量に抑える必要がある撮影においては、露出がオーバーになりやすいという問題があった。発光装置において微小量に発光量を抑える調光は困難であるためである。
【０００３】
図５（ａ）は、カメラからの発光指示値とストロボの発光量の関係を示すグラフである。
【０００４】
横軸は、カメラから発光装置への相対光量（ＥＶ）で示す発光指示値である。
【０００５】
ストロボの発光量を１／１（フル発光）とする指示を示す発光指示値を基準値（０ＥＶ）とする。また、発光指示値−１ＥＶは、ストロボの発光量をフル発光の１／２とする指示を意味し、発光指示値−１０ＥＶは、ストロボの発光量をフル発光の１／１０２４とする指示を意味する。
【０００６】
縦軸は、発光指示値に応じた実際の各ストロボ１，２の相対光量（ＥＶ）で示す発光量であり、各ストロボ１，２の調光性能を意味する。例えば、図５（ａ）において、ストロボ１はカメラからの発光指示値として−１０ＥＶを受信し発光した場合、フル発光の１／１０２４で発光する。以下、発光指示値で示す指示通りの発光量を理想的な発光量という。
【０００７】
図５（ｂ）は、カメラからの発光指示値に対し、理想的な発光量からどれだけ各ストロボ１，２の発光量がずれるかを示すグラフである。
【０００８】
図５（ｂ）に示すように、ストロボ１，２いずれにおいても発光指示値が−１０ＥＶ未満の領域においては、理想的な発光量からの差分が大きくなる、すなわち、適切な調光ができなくなる。より具体的には、上記領域においては、実際の発光量は理想的な発光量に対して多くなる、すなわち、ストロボ１，２は明るく発光してしまう。
【０００９】
つまり、ストロボ１においては−１０ＥＶが、ストロボ２においては−１３ＥＶが適切な調光ができる下限値（以下、発光量下限値という）となる。
【００１０】
図６は、暗い屋内で人物をストロボ撮影した際の例である。
【００１１】
図６（ａ）は、ユーザの意図通りに、適正な発光量及び露出で撮影された画像を示す。
【００１２】
一方、発光量下限値を考慮せずに撮影した場合、図６（ａ）のような画像が撮影できない可能性がある。例えば、カメラからは演算上は適正な露出が得られるはずの発光量とする発光指示値がストロボに送信されているが、その発光指示値がストロボにおける発光量下限値未満である場合である。このような場合、ストロボは適切な調光ができず理想的な発光量より明るく発光してしまうため、図６（ｂ）に示すように被写体の露出がオーバーとなった画像が撮影される。尚、この場合もストロボ光が届かない背景は、適切な露出となる。
【００１３】
これに対し、特許文献１では、クローズアップレンズを用いたストロボ撮影時に、カメラで演算された発光指示値がストロボの発光下限値以下となった場合、ストロボに送信する発光指示値を発光下限値に固定する。その一方、絞り量、撮像素子から得られる画像信号に付与される感度（ＩＳＯ感度）を調整する。これにより、被写体の露出がオーバーになることが抑制される。
【先行技術文献】
【特許文献】
【００１４】
【特許文献１】特開２００５−２２１６４１号公報
【発明の概要】
【発明が解決しようとする課題】
【００１５】
しかしながら、特許文献１の方法では、被写体の露出がオーバーになることを抑制すべく、絞り量やＩＳＯ感度を調整するため、背景がユーザの意図通りの露出にならない画像が撮影される可能性がある。
【００１６】
具体的には、特許文献１の方法ではストロボへの発光指示値を発光下限値に固定するため、ストロボは適切な調光を行うことができ、その結果、カメラからの発光指示値に従った適切な明るさで発光を行う。
【００１７】
一方、このように、演算された発光指示値に応じた理想的な発光量より発光量を明るくした分、発光量以外の露出値（絞り量やＩＳＯ感度）を暗くなるように調整する。このため、図６（ｃ）に示すように、ストロボ光が到達しない背景は露出がアンダーとなる。
【００１８】
また、図５(ａ)，（ｂ）のストロボ１，２の調光特性を示すグラフで示されるように、ストロボによってその発光量下限値が異なる。これに対し、カメラが発光量下限値を一律に設定した場合、下記の２つの問題が生じる場合がある。
【００１９】
（１）ストロボの実際の発光下限値が、カメラが一律に設定する発光量下限値より高い場合、特許文献１の技術は有効ではなくなり、図６（ｂ）のような画像になってしまう場合がある。
【００２０】
（２）ストロボの実際の発光下限値が、カメラが一律に設定する発光量下限値より低い場合、ストロボの調光性能としては図６（ａ）のような適正露出の画像が撮影できるにもかかわらず、図６（ｃ）のような画像になってしまう場合がある。すなわち、ストロボの調光性能を最大限に生かすことができない場合がある。
【００２１】
そこで、本発明の目的は、ストロボの発光量を微小量に抑える必要がある撮影において、ストロボの調光性能を最大限に生かして適正露出の画像が撮影できる発光装置、撮像装置及びこれらの制御方法、撮像システム、並びにプログラムを提供することである。
【課題を解決するための手段】
【００２２】
本発明の請求項１に係る発光装置は、撮像装置と通信可能に接続する発光装置であって、自動調光を行う際に前記撮像装置により設定された発光量で前記撮像装置における撮影時に発光する第１の発光モードにおいて前記撮像装置が前記発光装置の発光量の下限値として設定できる第１の発光量下限値を前記撮像装置に送信する送信手段を備えることを特徴とする。
【００２３】
本発明の請求項４に係る撮像装置は、撮像素子を有し、発光装置と通信可能に接続する撮像装置であって、自動調光を行う際に設定した第１の発光量で前記撮像装置における撮影時に前記発光装置を発光させる第１の発光モードにおいて前記撮像装置が前記発光装置の発光量の下限値として設定できる第１の発光量下限値を決定する決定手段を備えることを特徴とする。
【００２４】
本発明の請求項１１に係る撮像システムは、撮像装置及び発光装置を通信可能に接続する撮像システムであって、前記撮像装置は、自動調光を行う際に設定した第１の発光量で前記撮像装置における撮影時に前記発光装置を発光させる第１の発光モードにおいて前記撮像装置が前記発光装置の発光量の下限値として設定できる第１の発光量下限値を決定する決定手段と、前記発光装置からその機種情報を取得する取得手段と、前記取得した機種情報から、前記発光装置が前記第１の発光量下限値の通信に対応している第１の種類か、前記通信に対応していない第２の種類であるかを特定する特定手段とを備え、前記決定手段は、前記発光装置が前記第１の種類と特定された場合は、前記発光装置に対して李前記第１の発光量下限値を要求し、前記発光装置が前記第２の種類と特定された場合は、予め設定された所定値を前記第１の発光量下限値とし、前記発光装置は、前記要求が前記撮像装置で行われたときに、前記第１の発光量下限値を前記撮像装置に送信する送信手段を備えることを特徴とする。
【発明の効果】
【００２５】
本発明によれば、ストロボの発光量を微小量に抑える必要がある撮影において、ストロボの調光性能を最大限に生かして適正露出の画像が撮影できる。
【図面の簡単な説明】
【００２６】
【図１】本発明に係る撮像システムの構成例を示すブロック図である。
【図２】図１におけるカメラとストロボの実施例１に係る通信シーケンスを示す図である。
【図３】実施例１に係るストロボ撮影処理の手順を示すフローチャートである。
【図４】図３のステップＳ３０５の発光量下限値決定処理のサブルーチンを示すフローチャートである。
【図５】カメラからの発光指示値とストロボの発光量の関係の例を示す図である。
【図６】暗い屋内で人物をストロボ撮影した際の撮影画像の例を示す図である。
【発明を実施するための形態】
【００２７】
以下に、本発明の好ましい実施の形態を、添付の図面に基づいて詳細に説明する。
【００２８】
図１は、本発明に係る撮像システムの構成例を示すブロック図である。
【００２９】
図１において、撮像システムは、カメラ１００、レンズ２００、及びストロボ３００により構成される。
【００３０】
レンズ２００は、交換可能にカメラ１００と装着されており、カメラ１００のマウント接点群１０３を介して電気的に接続されている。
【００３１】
ストロボ３００も、交換可能にカメラ１００と装着されており、カメラ１００のストロボ接点群１０９を介して電気的に接続されている。
【００３２】
以下、カメラ１００の内部構成について説明する。
【００３３】
カメラ制御部１０１は、カメラ１００の各部の動作を制御するマイクロコンピューターである。
【００３４】
撮像素子１０２は、以下後述するレンズ２００の撮影レンズ２０２を通して入射する被写体からの光を電気信号に変換して画像データを生成し、カメラ制御部１０１へ出力する。
【００３５】
フォーカルプレーンシャッター１０４（以下、シャッター１０４という）は、撮像素子１０２と撮影レンズ２０２との間に配置され、カメラ制御部１０１の指示により動作する。シャッター１０４は先幕と後幕で構成され、先幕が走行しシャッター１０４が開くことにより撮像素子１０２の露光が開始され、後幕が走行しシャッター１０４が閉じることで撮像素子１０２の露光が終了する。
【００３６】
カメラ操作部１０５は、カメラ１００に取り付けられた図１において不図示のレリーズボタン、スイッチ、ダイヤル、接続機器等の操作部材を介してユーザが行った操作を検知し、操作指示に応じた信号をカメラ制御部１０１へ送る。例えば、カメラ操作部１０５は、ユーザがレリーズボタンを半押し操作した場合にＳＷ１信号をカメラ制御部１０１に出力し、ユーザがレリーズボタンを深く押し込む全押し操作を行った場合にＳＷ２信号をカメラ制御部１０１に出力する。
【００３７】
カメラ表示部１０６は、カメラ制御部１０１の指示により、撮影情報の表示や撮影画像の表示を行う。
【００３８】
カメラ制御部１０１は、カメラ操作部１０５の出力信号に基づいて、カメラ１００の動作制御を行う。カメラ操作部１０５よりＳＷ１信号が出力された場合、撮像素子１０２を駆動して撮像を行い、ＡＦ及びＡＥ動作をする。ＡＥ動作とは、撮像素子１０２による撮像結果から被写体の輝度を測定する測光制御を繰り返すとともに、測光結果から撮影時に使用するシャッター速度、絞り値、ＩＳＯ感度を決定する動作である。ここで、撮影時に使用するシャッター速度、絞り値、ＩＳＯ感度をまとめて、露出制御値と称する。決定した露出制御値はカメラ表示部１０６の画面上に表示される。また、ＡＦ動作とは、撮像素子１０２による撮像結果から、撮影レンズ２０２の焦点状態を検出するＡＦ演算を行い、そのＡＦ演算の結果に基づき撮影レンズ２０２を駆動してその焦点状態を調節する動作である。一方、カメラ操作部１０５よりＳＷ２信号が出力された場合、以下後述するレンズ２００の絞り２０３を駆動し、撮像素子１０２の感度（ＩＳＯ感度）を設定して、シャッター１０４を制御して撮像素子１０２へ光を照射させる。カメラ制御部１０１は、撮像素子１０２から取得した画像データに従ってカメラ表示部１０６の画面上に撮影画像を表示させるとともに、画像記憶部１０７へ画像データを書き込む制御を行う。
【００３９】
次に、レンズ２００の内部構成について説明する。
【００４０】
レンズ制御部２０１は、レンズ２００の各部の動作を制御するマイクロコンピューターである。撮影レンズ２０２は、複数のレンズにより構成され、被写体像を撮像素子１０２に結像させる。さらに、撮影レンズ２０２内には光量を調節するための絞り２０３とピントを調整するためのフォーカスレンズ（不図示）が備えられている。
【００４１】
レンズ制御部２０１は、マウント接点群１０３を介したカメラ制御部１０１からの指示に従い、カメラ１００内に取り込む光量とピントを調整する。
【００４２】
次に、ストロボ３００の内部構成について説明する。
【００４３】
ストロボ制御部３０１は、ストロボ３００の各部の動作を制御するマイクロコンピューターである。ストロボ制御部３０１は、ストロボ接点群１０９を介して、カメラ制御部１０１と通信可能で、カメラ１００からの発光制御指示およびカメラ情報の受信とカメラ１００へのストロボ情報の送信を行うことができる。発光部３０２は、図１において不図示の放電管、発光用コンデンサー、発光回路、発光光学系より構成される。ストロボ操作部３０３は、ユーザが操作する操作部材を備えており、ストロボ３００に取り付けられた図１において不図示のボタン、ダイヤルなどを介してユーザが行った操作を検知し、操作指示に応じた信号をストロボ制御部３０１へ送る。ストロボ表示部３０４は、ストロボ制御部３０１の指示により、発光モードなどの表示を行う。
【００４４】
発光部３０２は、ストロボ制御部３０１の指示により、発光回路を駆動し、発光用コンデンサーに充電されたエネルギーを放電管に放出することにより発光を行い、発光光学系を介して、被写体を照射する。発光量については、ストロボ操作部３０３によって設定してもよいし、ストロボ接点群１０９を介して、カメラ制御部１０１から通信により取得してもよい。ストロボ制御部３０１は、ストロボ接点群１０９を介したカメラ制御部１０１からの指示に従い、カメラ１００の撮影動作に同期して発光部３０２を所定の発光量で発光させる。
【実施例１】
【００４５】
以下、図２を参照して、図１の撮像システムの実施例１に係る動作について説明する。
【００４６】
図２は、図１におけるカメラ１００とストロボ３００の実施例１に係る通信のシーケンスを示す図である。この通信はストロボ接点群１０９を介して行われる。
【００４７】
まず、カメラ制御部１０１は機種情報要求１１０をストロボ３００に送信する。ストロボ制御部３０１は、機種情報要求１１０を受信すると、カメラ制御部１０１に対して機種情報３１０を送信する。この機種情報３１０を受信することで、カメラ制御部１０１は、装着されているストロボ３００の種類を特定することができる。
【００４８】
次にカメラ制御部１０１は、マニュアル発光下限値要求１１１をストロボ３００に送信する。ストロボ制御部３０１は、マニュアル発光下限値要求１１１を受信すると、カメラ制御部１０１に対してマニュアル発光下限値３１１を送信する。マニュアル発光下限値３１１とは、カメラ１００での撮影時におけるストロボ３００の発光量をユーザが設定する発光モード（マニュアル発光モード）において、ユーザが設定できる最小の発光量を指す。マニュアル発光下限値３１１より低い発光量は、マニュアル発光モードにおける発光量の設定の際にカメラ表示部１０６及びストロボ表示部３０４のいずれにもユーザ選択可能に表示されず、ユーザが設定することはできない。
【００４９】
次にカメラ制御部１０１は、受信した機種情報３１０に基づき特定されたストロボ３００の種類が自動調光発光下限値情報通信に対応している種類であると特定した場合、自動調光発光下限値要求１１２をストロボ３００に送信する。ストロボ制御部３０１は、自動調光発光下限値要求１１２を受信すると、カメラ制御部に対して自動調光発光下限値３１２を送信する。自動調光発光下限値３１２とは、自動調光モードにおいて、カメラ１００が、ストロボ３００に対して設定することができる最小の発光量を指す。尚、この自動調光モードの動作については後述する。
【００５０】
マニュアル発光モードでは、撮影時のストロボ３００の発光量はユーザが操作して設定するため、カメラ表示部１０６及びストロボ表示部３０４の少なくとも１つにユーザがその発光量として設定できる数値範囲を表示する必要がある。だが、カメラ表示部１０６及びストロボ表示部３０４の表示スペースには限界があるため、ユーザが通常発光量として設定する範囲にその数値範囲は制限される。
【００５１】
一方で、自動調光モードでは、撮影時のストロボ３００の発光量はカメラ１００が設定するため、その発光量として指定できる数値範囲をユーザに通知する必要はない。このため、カメラ表示部１０６及びストロボ表示部３０４の仕様にその数値範囲は制限されず、ストロボ３００の調光性能に応じてその数値範囲の下限値は決定される。すなわち、自動調光発光下限値３１２は、マニュアル発光下限値３１１より低い値に設定される。
【００５２】
尚、自動調光発光下限値３１２は、ストロボ３００の調光性能上、発光量として設定しうる最下限値以上の値であって、マニュアル発光下限値３１１より低い値に設定されれば、その値を特に限定するものではない。だが、自動調光発光下限値３１２はかかる最下限値とすることが望ましい。自動調光発光下限値３１２をかかる最下限値より高くすると、ストロボ３００の調光性能としては図６（ａ）のような適正露出の画像が撮影できるにもかかわらず、図６（ｃ）のような画像になってしまう場合があるからである。例えばストロボ３００が図５（ｂ）のストロボ２と同じ調光性能を有する場合、マニュアル発光下限値３１１をフル発光時の発光量の１／１２８とする相対光量の値（−７ＥＶ）とする。一方、自動調光発光下限値をストロボ３００の調光性能上、発光量として設定しうる最下限値であるフル発光時の発光量の１／８１９２とする相対光量の値（−１３ＥＶ）とする。
【００５３】
なお、上記では、マニュアル発光下限値３１１をフル発光時の発光量の１／１２８、自動調光発光下限値３１２をフル発光時の発光量の１／８１９２として、ＥＶ表記したときに整数となる下限値としている。しかしながら、自動調光発光下限値３１２についてはＥＶ表記したときに整数とならなくてもよい。例えば、発光量調整を詳細に行おうとすると、発光量調整のステップ幅は、ＥＶ表記の１／４や１／８といったステップ幅となる場合も考えられる。このようなステップ幅で発光量調整を行う構成では、自動調光発光下限値３１２であればＥＶ表記したときに整数とならない値としても問題ないが、ＥＶ表記したときに整数とならない値はマニュアル発光下限値３１１には適さない。具体的には、ストロボ３００の調光性能上の下限値がＥＶ表記で−７＋１／８ＥＶ（フル発光時の発光量の９／１０２４）の場合、この下限値を表示する必要がない自動調光発光下限値３１２として設定しても問題がない。一方、このようなＥＶ表記で整数とならない値をマニュアル発光下限値とすると、ＥＶ表記で−７ＥＶ（フル発光時の発光量の１／１２８）とする上記場合よりも表示スペースを要する。
【００５４】
以上説明した図２の通信シーケンスにおける通信は、カメラ１００とストロボ３００の間で行われる通信の一例であり、このほかにも様々な通信を行っている。これらの通信は、カメラ制御部１０１が、ストロボの装着を検知した時や、撮影タイミングなどの所定のタイミングで実行される。
【００５５】
尚、カメラ１００は、自動調光発光下限値情報通信に対応していない種類のストロボ３００’が装着された場合、ストロボ３００の装着時と同様、まず、ストロボ３００’に対して機種情報要求１１０を送信する。カメラ制御部１０１は、この要求に応じてストロボ３００’から送信された機種情報３１０’に基づき、ストロボ３００’が自動調光発光下限値情報通信に対応している種類であると特定する。かかる特定がなされた場合、カメラ制御部１０１は、自動調光発光下限値要求１１２をストロボ３００’に送信することなく、自動調光モードにおいてストロボ３００’に対して設定しうる発光量の下限値に予め設定された所定値を設定する。詳細は図４において説明する。
【００５６】
図３に示すフローチャートを用いて、本実施例に係るストロボ撮影処理の動作を説明する。本処理は、カメラ１００において自動調光モード及びＩＳＯ感度自動設定モードが設定されている場合に、カメラ制御部１０１がカメラ１００において不図示のＲＯＭに保持されるプログラムを読み込むことにより実行される。尚、自動調光モードとは、プリ発光を行い、被写体からの反射光を撮像素子１０２が受光して適切な露出でのストロボ撮影が可能となる発光量（メイン発光量）を算出した後、ストロボ撮影を行うモードである。また、ＩＳＯ感度自動設定モードとは、ＡＥ動作によってＩＳＯ感度が自動的に設定されるモードである。
【００５７】
まず、カメラ制御部１０１はＳＷ１信号がＯＮ状態となると（ステップＳ３００でＹＥＳ）、ステップＳ３０１へと進み、ＡＦ及びＡＥ動作をする。すなわち、カメラ１００に装着されたストロボが未発光の状態で、撮影レンズ２０２の焦点状態の調節及びＩＳＯ感度を含む露出制御値の決定が行われる。
【００５８】
次に、カメラ制御部１０１はＳＷ２信号がＯＮ状態となると（ステップＳ３０２でＹＥＳ）、ステップＳ３０３へに進む。ステップＳ３０３において、カメラ制御部１０１は、ストロボ３００に対するプリ発光制御と、撮像素子１０２への制御を行い、得られた情報から撮影時のストロボ発光量（メイン発光量）を算出する。尚、プリ発光時に用いられる露出制御値はステップＳ３０１で決定された値が用いられる。
【００５９】
ステップＳ３０４において、カメラ制御部１０１は、ＩＳＯ感度シフトモードに移行しているか否かを判定する。この判定の結果、ＩＳＯ感度シフトモードに移行している場合は、ステップＳ３０５へと処理を進め、ＩＳＯ感度シフトモードに移行していない場合は、ステップＳ３０９へと処理を進める。ここで、ＩＳＯ感度シフトモード（発光量制限モード）とは、カメラ１００に装着されるストロボの発光量を制限すべく、後述するステップＳ３０４〜Ｓ３０８によりＩＳＯ感度をシフトするモードである。また、ユーザの操作によって、ＩＳＯ感度シフトモードへの移行が行われる。
【００６０】
ステップＳ３０５において、カメラ制御部１０１は、装着されているストロボに対して自動調光モードにおいて設定しうる発光量の下限値を決定する発光量下限値決定処理を実行する。
【００６１】
図４は、図３のステップＳ３０５の発光量下限値決定処理のサブルーチンを示す図である。
【００６２】
ステップＳ４００において、カメラ制御部１０１は、装着されているストロボが、自動調光発光下限値情報通信に対応しているか否かを判定する。この結果、対応していると判定した場合、すなわち装着されているストロボがストロボ３００である場合は、ステップＳ４０１に進み、対応していないと判定した場合、すなわち装着されているストロボがストロボ３００’である場合は、ステップＳ４０２に進む。
【００６３】
ステップＳ４０１において、カメラ制御部１０１は、ストロボ３００から取得した自動調光発光下限値３１２を自動調光モードでの撮影において設定しうる発光量の下限値に決定し、発光量下限値決定処理を終了する。
【００６４】
ステップＳ４０２において、カメラ制御部１０１は、ストロボ３００’から得られた機種情報３１０’に対応した下限値情報をカメラ制御部１０１自身が有しているか否かを判定する。この判定の結果、下限値情報を有している場合は、ステップＳ４０３へ処理を進め、有していないと判定した場合は、ステップＳ４０４へ処理を進める。ここで、下限値情報とは、ストロボの機種毎に、その調光性能上、発光量として設定しうる最下限値を示す情報である。例えば、例えば、図５（ｂ）のグラフのストロボ１の場合、その下限値情報は−１０ＥＶとなる。
【００６５】
ステップＳ４０３において、カメラ制御部１０１は、ストロボ３００’から得られた機種情報３１０’に対応した下限値情報に基づき、自動調光モードでの撮影において設定しうる発光量の下限値を決定し、本処理を終了する。例えば、カメラ制御部１０１自身が図５（ｂ）のグラフのストロボ１の下限値情報及び機種情報を有し、且つストロボ３００’の機種情報３１０’がストロボ１の機種情報に一致している場合、ステップＳ４０３で発光量の下限値が−１０ＥＶに決定される。
【００６６】
ステップＳ４０４において、カメラ制御部１０１は、ストロボ３００’の機種情報３１０’に依存しない一律の値である所定値を自動調光モードでの撮影において設定しうる発光量の下限値に決定し、本処理を終了する。
【００６７】
図３に戻り、ステップＳ３０５の発光量下限値決定処理を終了すると、ステップＳ３０６に進む。
【００６８】
ステップＳ３０６において、カメラ制御部１０１は、ステップＳ３０３で算出されたストロボ発光量が、ステップＳ３０４で決定された発光量の下限値以下か否かを判定する。
【００６９】
算出されたストロボ発光量がステップＳ３０５で決定された発光量の下限値以下であった場合は、ステップＳ３０７に進む。一方、算出されたストロボ発光量がステップＳ３０５で決定された発光量の下限値より大きい場合は、ステップＳ３０９に進む。
【００７０】
ステップＳ３０７において、カメラ制御部１０１は、ステップＳ３０４で決定された発光量の下限値をメイン発光量として設定する。
【００７１】
ステップＳ３０８において、カメラ制御部１０１は、ステップＳ３０３で算出されたストロボ発光量と、ステップＳ３０７で設定されたストロボ発光量の差分に基づき、撮影時のＩＳＯ感度をシフトする。例えば、ステップＳ３０３で算出されたストロボ発光量が−１１ＥＶであり、ステップＳ３０７で設定されたストロボ発光量が−１０ＥＶであった場合、メイン発光量は１ＥＶだけ明るくなる。これに対しＩＳＯ感度を１ＥＶ分だけ下げることで、被写体を適正露出で撮影することができる。
【００７２】
ステップＳ３０９では、カメラ制御部１０１は、ストロボ３００、撮像素子１０２、及びシャッター１０４などを制御し、装着されるストロボを発光（メイン発光）して露光動作を実行し、本処理を終了する。
【００７３】
上記の通り本発明の実施形態によれば、カメラ１００が装着されるストロボがストロボ３００である場合はストロボ３００からの自動調光発光下限値３１２をステップＳ３０５で決定される発光量の下限値に決定する。一方、カメラ１００が装着されるストロボがストロボ３００’である場合はストロボ３００’からの機種情報３１０’に基づきステップＳ３０５で決定される発光量の下限値に決定する。すなわち、カメラ１００に装着されるストロボ毎に、そのストロボに対して自動調光モードにおいて設定しうる発光量の下限値を決定することができる。これにより、ストロボ毎の発光能力を最大限に生かすように発光制御し、ストロボ撮影をすることができる。
【実施例２】
【００７４】
次に、カメラ１００が、連写優先自動調光モードを更に有する場合について説明する。
【００７５】
連写優先自動調光モードとは、連続撮影時のメイン発光量を低くすることにより、ストロボの発光のための充電切れによる発光抜けを抑え、ストロボの連続発光回数を多くすることができるモードである。すなわち、連写優先自動調光モードにおけるＩＳＯ感度自動設定モード時に設定されるＩＳＯ感度は、自動調光モードにおける場合（すなわちステップＳ３０１で決定されるＩＳＯ感度）よりも所定量大きく設定される。また、連写優先自動調光モードでのプリ発光により算出されるメイン発光量は、図３のステップＳ３０３で算出される値より低くなる。
【００７６】
連写優先自動調光モード及びＩＳＯ感度自動設定モードが設定されている場合のストロボ撮影処理は、基本的には図３と同様となる。但し、ステップＳ３０２でＳＷ２信号がＯＮ状態となり、ステップＳ３０３でプリ発光によりメイン発光量を算出した後、カメラ制御部１０１は、ＩＳＯ感度シフトモードに移行し、かかる移行後にステップＳ３０５に進む。また、カメラ制御部１０１は、カメラ表示部１０６を介して、ＩＳＯ感度シフトモードに移行したことをユーザに通知する。
【００７７】
連写優先自動調光モードでは、上述の通り自動調光モードで算出されるメイン発光量の値より低い値が算出される。このため、カメラ１００に装着されるストロボの調光性能上、発光量として設定しうる最下限値より、算出されるメイン発光量の方が低くなる可能性は、自動調光モードの場合より高くなる。このため、上述の通り、連写優先自動調光モードでは、ユーザ操作によりＩＳＯ感度シフトモードに移行しているか否かを判定するのではなく、カメラ制御部１０１自身でＩＳＯ感度シフトモードに移行する。これにより、適正な露出で被写体を撮影する確率を上げることができる。
【００７８】
以上、本発明の好ましい実施形態について説明したが、本発明はこれらの実施形態に限定されず、その要旨の範囲内で種々の変形及び変更が可能である。
【００７９】
［その他の実施例］
本発明の目的は、前述した実施例の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【００８０】
この場合、記憶媒体から読み出されたプログラムコード自体が前述した実施例の機能を実現することになり、プログラムコード自体及びそのプログラムコードを記憶した記憶媒体は本発明を構成することになる。
【００８１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８２】
また、上述のプログラムコードの指示に基づき、装置上で稼動しているＯＳ（基本システムやオペレーティングシステム）などが処理の一部又は全部を行い、その処理によって前述した実施例の機能が実現される場合も含まれることは言うまでもない。
【００８３】
さらに、記憶媒体から読み出されたプログラムコードが、装置に挿入された機能拡張ボードやコンピュータに接続された機能拡張ユニットに備わるメモリに書込まれ、前述した実施例の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【００８４】
１００  カメラ
１０１  カメラ制御部
１０２  撮像素子
１０４  シャッター
１０６  カメラ表示部
１０９  ストロボ接点群
２００  レンズ
３００  ストロボ
３０１  ストロボ制御部
３０２  発光部
【図１】
2020003568.tif 000003
【図２】
2020003568.tif 000004
【図３】
2020003568.tif 000005
【図４】
2020003568.tif 000006
【図５】
2020003568.tif 000007
【図６】
2020003568.tif 000008